【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
ＥＩＴイメージングのための、特に肺機能および／または心機能を判定するためのシステムであって、前記システムは、
‐患者の上に配置してインピーダンス分布を測定するための電極アレイを備え、前記アレイはベルト構造体の上に固定されており、
‐データ入力ユニットと、
‐計算ユニットとを備え、
‐前記電極アレイは、前記電極アレイに結合され少なくとも第１電極または電極対の位置を視覚的に示すための少なくとも１つの視覚補助具を含み、
‐前記視覚補助具は、患者の体の特徴的な部分に対する前記視覚補助具の位置を測定するまたは読み取ることを可能にする手段を提供し、
‐前記データ入力ユニットは、前記視覚補助具の位置を記述するデータの入力を受け付け、
‐前記計算ユニットは、前記患者の体に対する個々の電極の位置を計算し画像作成アルゴリズムの修正を提供するように構成されている
ことを特徴とする、システム。
【請求項２】
前記修正を提供するために、前記視覚補助具の位置を記述するデータに基づいて、予め定められた位置からの前記電極アレイの回転ずれを考慮することを特徴とする、請求項１に記載のシステム。
【請求項３】
前記視覚補助具の位置を記述するデータは、前記患者の体の特徴的な部分に対して位置合わせされた前記視覚補助具の（所望の）位置からの、前記視覚補助具の（実際の）位置のずれに関する情報を含むことを特徴とする、請求項１または２に記載のシステム。
【請求項４】
前記視覚補助具の位置を記述するデータは、患者の外周における前記視覚補助具の位置に関する情報を含むことを特徴とする、請求項１〜３のいずれか１項に記載のシステム。
【請求項５】
前記データ入力ユニットはさらに、前記患者の体位を記述するデータの、好ましくは横たわっている患者の体位の入力を受け付けることを特徴とする、請求項１〜４のいずれか１項に記載のシステム。
【請求項６】
前記患者の体位を記述するデータは、重力に対する（または重力ベクトルに対する）前記患者の体位に関する情報を含むことを特徴とする、請求項５に記載のシステム。
【請求項７】
前記患者の体位を記述するデータは、横たわっている患者の体位を、少なくとも仰臥位、伏臥位、右側臥位または左側臥位であると定義することを可能にすることを特徴とする、請求項５〜６のいずれか１項に記載のシステム。
【請求項８】
前記システムは、
‐空間におけるその向きの表示を含む肺葉の輪郭、および
‐前記計算ユニットが修正後に提供するＥＩＴ画像データ
の重畳グラフィック表現を提供するように構成されていることを特徴とする、請求項１〜７のいずれか１項に記載のシステム。
【請求項９】
前記システムは、前記患者の体に対する前記電極アレイおよび前記視覚補助具の位置のグラフィック表現を提供するように構成されていることを特徴とする、請求項１〜８のいずれか１項に記載のシステム。
【請求項１０】
前記患者のグラフィック表現の周りのリング上の前記視覚補助具の位置を画面上に示すことができ、前記患者のグラフィック表現は、前記患者の体位に関する、好ましくは重力ベクトルに対する前記患者の体位に関する情報を含むことを特徴とする、請求項１〜９のいずれか１項に記載のシステム。
【請求項１１】
前記データ入力ユニットは、ベルトの変位の値を、前記患者の体の特徴的な部分に対する前記視覚補助具の位置を記述する手段として受け付け、さらに好ましくは胸囲の入力およびベルトサイズの入力を受け付けることを特徴とする、請求項１〜１０のいずれか１項に記載のシステム。
【請求項１２】
ＥＩＴイメージングのためのセンサ装置であって、前記センサ装置は、
‐ベルト構造体を備え、前記ベルト構造体は、データ入力ユニットと計算ユニットとを含むＥＩＴイメージングシステムに接続可能な、患者の上に配置してインピーダンス分布を測定するための電極アレイを含み、
‐前記電極アレイは、前記電極アレイに結合され少なくとも第１電極または電極対の位置を視覚的に示すための少なくとも１つの視覚補助具を含み、
‐前記視覚補助具は、前記患者の体の特徴的な部分に対する前記視覚補助具の位置を読み取るまたは測定することを可能にする手段を含む
ことを特徴とする、センサ装置。
【請求項１３】
前記手段は、前記患者の体の特徴的な部分に対して位置合わせされた前記視覚補助具の所望のまたは予め定められた位置からの、前記視覚補助具の実際の位置のずれの値を提供することを特徴とする、請求項１〜１１のいずれか１項に記載のシステムまたは請求項１２に記載のセンサ装置。
【請求項１４】
前記視覚補助具は、患者の体のたとえば乳頭のような特徴的な部分またはマークに対して前記視覚補助具を位置合わせすることを可能にする手段を含むことを特徴とする、請求項１〜１１，１３のいずれか１項に記載のシステムまたは請求項１２〜１３に記載のセンサ装置。
【請求項１５】
前記手段は、好ましくは前記電極アレイの長手方向の端に沿った目盛りを含むことを特徴とする、請求項１〜１１，１３〜１４のいずれか１項に記載のシステムまたは請求項１２〜１４のいずれか１項に記載のセンサ装置。
【請求項１６】
前記電極は、ベルト状構造体の上にある、またはベルト状構造体に一体化された、間隔を開けて設けられた一連の電極となるように配置され、好ましくは前記ベルト状構造体の長手方向の範囲に沿って分散していることを特徴とする、請求項１〜１１，１３〜１５のいずれか１項に記載のシステムまたは請求項１２〜１５のいずれか１項に記載のセンサ装置。
【請求項１７】
前記データ入力ユニットは前記ベルト状構造体に装着できることを特徴とする、請求項１〜１１，１３〜１６のいずれか１項に記載のシステムまたは請求項１２〜１６のいずれか１項に記載のセンサ装置。
【請求項１８】
前記データ入力ユニットはマニュアルデータ入力ユニットであることを特徴とする、請求項１〜１１，１３〜１７のいずれか１項に記載のシステムまたは請求項１２〜１７のいずれか１項に記載のセンサ装置。
【請求項１９】
ＥＩＴイメージング方法であって、
‐患者の上に電極アレイを配置し装着するステップと、
‐インピーダンス分布を測定するステップと、
‐データ入力ユニットに患者固有のデータを与えるステップと、
‐前記測定したインピーダンス分布および前記患者固有のデータの入力を考慮する画像作成アルゴリズムを用いてＥＩＴ画像を計算するステップとを含み、
前記電極アレイは、前記患者の上に複数の方法で配置することができ、前記電極アレイに結合された少なくとも１つの視覚補助具を含み、それにより、
‐患者の体の特徴的な部分に対する前記視覚補助具の位置に関する情報を含む患者固有のデータを読み取って入力するステップと、
‐前記患者の体に対する個々の電極の位置を計算し前記画像作成アルゴリズムの修正を提供するステップとが可能である
ことを特徴とする、方法。
【請求項２０】
前記修正を提供するために、前記視覚補助具の位置を記述するデータに基づいて、予め定められた位置からの前記電極アレイの回転ずれを考慮することを特徴とする、請求項１９に記載の方法。
【請求項２１】
前記視覚補助具の位置に関する情報は、前記患者の体の特徴的な部分に対して位置合わせされた前記視覚補助具の（所望の）位置からの、前記視覚補助具の（実際の）位置のずれの値を含むことを特徴とする、請求項１９または２０に記載の方法。
【請求項２２】
前記患者の体の特徴的な部分に対して位置合わせされた前記視覚補助具の位置からの、前記視覚補助具の位置のずれは、患者の外周において決定することを特徴とする、請求項１９〜２１のいずれか１項に記載の方法。
【請求項２３】
前記患者固有のデータは、前記患者の体位、好ましくは横たわっている患者の体位に関する情報をさらに含むことを特徴とする、請求項１９〜２２のいずれか１項に記載の方法。
【請求項２４】
前記患者の体位は重力ベクトルを基準として決定することを特徴とする、請求項２３に記載の方法。
【手続補正２】
【補正対象書類名】明細書
【補正対象項目名】００２２
【補正方法】変更
【補正の内容】
【００２２】
発明の概要
本明細書においてＥＩＴイメージングのためのシステムについて説明する。このシステムは、
‐患者の上に配置してインピーダンス分布を測定するための電極アレイと、
‐データ入力ユニットと、
‐計算ユニットとを備え、
‐電極アレイは、当該電極アレイに結合され少なくとも第１電極または電極対の位置を視覚的に示すための少なくとも１つの視覚補助具を含み、
‐データ入力ユニットは、視覚補助具の位置を記述するデータの入力を受け付け、
‐計算ユニットは、患者の体に対する個々の電極の位置を計算し、再構成マトリックスの作成中に推定した電極位置が数学的に復元されるように画像作成アルゴリズムの修正を提供するように、構成されている。
【手続補正３】
【補正対象書類名】明細書
【補正対象項目名】００２６
【補正方法】変更
【補正の内容】
【００２６】
好ましい実施形態において、ＥＩＴイメージングのための、特に肺機能および／または心機能を判定するためのシステムが開示される。このシステムは、
‐患者の上に配置してインピーダンス分布を測定するための電極アレイを備え、このアレイはベルト構造体の上に固定され、
‐データ入力ユニットと、
‐計算ユニットとを備え、
‐電極アレイは、この電極アレイに結合され少なくとも第１電極または電極対の位置を視覚的に示すための少なくとも１つの視覚補助具を含み（そのために好ましくは視覚補助具はベルト構造体上の固定位置に装着される）、
‐視覚補助具は、ベルト構造体が患者によって着用されているときの患者の体の特徴的な部分（すなわちたとえば胸骨のような身体の基準）に対する視覚補助具の位置を測定するまたは読み取ることを可能にする手段（たとえば、任意で目盛りを含む位置インジケータのようなラインマーキング等の視覚標識）を提供し、
‐データ入力ユニットは、視覚補助具の位置（すなわち患者の体の特徴的な部分に対する視覚補助具の位置）を記述するデータの入力を受け付け、
‐計算ユニットは、患者の体に対する個々の電極の位置を計算し画像作成アルゴリズムの修正を提供するように構成されている。
【手続補正４】
【補正対象書類名】明細書
【補正対象項目名】００３１
【補正方法】変更
【補正の内容】
【００３１】
好都合には、データ入力ユニットは、患者の体位を記述するデータの入力を受け付けるように設計される。横たわっている体位の患者が好ましい。横たわっている体位で一般的なものは、仰臥位、伏臥位、および側臥位である。横たわっている患者の正確な体位は、極座標によって、たとえば、基準位置に対する角度の値を与えることにより、定めることができる。
【手続補正５】
【補正対象書類名】明細書
【補正対象項目名】００３４
【補正方法】変更
【補正の内容】
【００３４】
好ましくは、データ入力ユニットは、ベルトの変位の値を、患者の体の特徴的な部分に対する視覚補助具の位置を記述する手段として受け付け、さらに好ましくは、胸囲の入力およびベルトサイズの入力を受け付ける。
【手続補正６】
【補正対象書類名】明細書
【補正対象項目名】００４７
【補正方法】変更
【補正の内容】
【００４７】
任意で、データ入力ユニットはベルト状構造体に装着されてもよい。
データ入力ユニットはマニュアルデータ入力ユニットであってもよい。